(57)【要約】【課題】撮影者に煩雑な操作を強いることなく、容易に望遠側の被写体にピントを合わせることができる光学装置を提供する。【解決手段】この光学装置は、ズーム機能を操作するズームスイッチ２０５と、ズームスイッチ２０５が予め定められたトリガー生成操作であるか否かを判断し、トリガー生成操作であると判断した場合にトリガーを生成するトリガー生成手段（ステップＳ１０４）と、トリガー生成手段が生成したトリガーに基づいて、オートフォーカスのための焦点検出枠の形態を望遠側の被写体にピントが合うように変化させる焦点検出枠調整手段（ステップＳ１０８、ステップＳ１０９）とを備える。【選択図】図１
2008064980.tif 000002
【特許請求の範囲】
【請求項１】
ズーム機能およびオートフォーカス機能を備えた光学装置において、
前記ズーム機能を操作するズーム操作手段と、
該ズーム操作手段の操作が予め定められたトリガー生成操作であるか否かを判断し、トリガー生成操作であると判断した場合にトリガーを生成するトリガー生成手段と、
該トリガー生成手段が生成した前記トリガーに基づいて、オートフォーカスのための焦点検出枠の形態を望遠側の被写体にピントが合うように変化させる焦点検出枠調整手段と、を備える、
ことを特徴とする光学装置。
【請求項２】
前記焦点検出枠調整手段は、焦点検出枠の大きさ、焦点検出枠の数、又は複数の焦点検出枠を含む焦点検出エリアの大きさを変化させる、
ことを特徴とする請求項１に記載の光学装置。
【請求項３】
前記トリガー生成手段は、前記ズーム機能が望遠端又は広角端の方向に所定の時間維持されたときに、前記トリガーを生成する、
ことを特徴とする請求項１又は２に記載の光学装置。
【請求項４】
前記トリガー生成手段は、前記ズーム機能が望遠端および広角端のいずれにも位置しない中立状態になった後、望遠端又は広角端の方向に操作されたときに、前記トリガーを生成する、
ことを特徴とする請求項１又は２に記載の光学装置。
【請求項５】
前記焦点検出枠調整手段は、前記トリガー生成手段が前記トリガーを生成した後、前記ズーム操作手段による所定の操作が行われたときに、オートフォーカスのため焦点検出枠の形態を望遠側の被写体にピントが合うように変化させる、
ことを特徴とする請求項１〜４のいずれか一項に記載の光学装置。
【請求項６】
前記トリガー生成手段が前記トリガーを生成した後、前記ズーム操作手段を前記焦点検出枠調整手段に対する操作手段に切り替える操作切替手段を備える、
ことを特徴とする請求項１〜５のいずれか一項に記載の光学装置。
【請求項７】
前記焦点検出枠調整手段によって前記焦点検出枠の形態を変化させた後、所定のタイミングで前記ズーム操作手段を前記ズーム機能の操作手段に復帰させる復帰手段を備える、
ことを特徴とする請求項６に記載の光学装置。
【請求項８】
前記復帰手段は、前記焦点検出枠の形態が予め設定した形態になったとき、又は予め指定したボタン操作があったときに、前記ズーム操作手段を前記ズーム機能の操作手段に復帰させる、
ことを特徴とする請求項７に記載の光学装置。
【請求項９】
画像および前記焦点検出枠を表示する表示部と、
該表示部に、撮像画面内に位置する前記焦点検出枠を該撮像画面に重ねて表示する表示制御手段と、を備える、
ことを特徴とする請求項１〜８のいずれか一項に記載の光学装置。
【請求項１０】
ズーム機能およびオートフォーカス機能を備えた光学装置の制御方法において、
前記ズーム機能を操作するズーム操作手段の操作が予め定められたトリガー生成操作であるか否かを判断し、トリガー生成操作であると判断した場合にトリガーを生成するトリガー生成ステップと、
該トリガー生成ステップで生成した前記トリガーに基づいて、オートフォーカスのための焦点検出枠の形態を望遠側の被写体にピントが合うように変化させる焦点検出枠調整ステップと、を備える、
ことを特徴とする光学装置の制御方法。
【請求項１１】
ズーム機能およびオートフォーカス機能を備えた光学装置において、
前記ズーム機能を操作するズーム操作手段と、
該ズーム操作手段の操作が予め定められたトリガー生成操作であるか否かを判断し、トリガー生成操作であると判断した場合にトリガーを生成するトリガー生成手段と、
該トリガー生成手段が生成した前記トリガーに基づいて、オートフォーカスモードからマニュアルフォーカスモードに切り替えるモード切替手段と、を備える、
ことを特徴とする光学装置。
【請求項１２】
前記トリガー生成手段は、前記ズーム機能が望遠端又は広角端の方向に所定の時間維持されたときに、前記トリガーを生成する、
ことを特徴とする請求項１１に記載の光学装置。
【請求項１３】
前記トリガー生成手段は、前記ズーム機能が望遠端および広角端のいずれにも位置しない中立状態になった後、望遠端又は広角端の方向に操作されたときに、前記トリガーを生成する、
ことを特徴とする請求項１１に記載の光学装置。
【請求項１４】
前記モード切替手段は、前記トリガー生成手段が前記トリガーを生成した後、前記ズーム操作手段による所定の操作が行われたときに、オートフォーカスモードからマニュアルフォーカスモードに切り替える、
ことを特徴とする請求項１１〜１３のいずれか一項に記載の光学装置。
【請求項１５】
前記トリガー生成手段が前記トリガーを生成した後、前記ズーム操作手段を前記モード切替手段に対する操作手段に切り替える操作切替手段を備える、
ことを特徴とする請求項１１〜１４のいずれか一項に記載の光学装置。
【請求項１６】
前記モード切替手段によってオートフォーカスモードからマニュアルフォーカスモードに切り替えられた後、所定のタイミングで前記ズーム操作手段を前記ズーム機能の操作手段に復帰させる復帰手段を備える、
ことを特徴とする請求項１５に記載の光学装置。
【請求項１７】
前記復帰手段は、望遠側の被写体より手前の被写体にピントがあったとき、又は予め指定したボタン操作があったときに、前記ズーム操作手段を前記ズーム機能の操作手段に復帰させる、
ことを特徴とする請求項１６に記載の光学装置。
【請求項１８】
ズーム機能およびオートフォーカス機能を備えた光学装置の制御方法において、
前記ズーム機能を操作するズーム操作手段の操作が予め定められたトリガー生成操作であるか否かを判断し、トリガー生成操作であると判断した場合にトリガーを生成するトリガー生成ステップと、
該トリガー生成ステップで生成した前記トリガーに基づいて、オートフォーカスモードからマニュアルフォーカスモードに切り替えるモード切替ステップと、を備える、
ことを特徴とする光学装置の制御方法。
【発明の詳細な説明】
【技術分野】
【０００１】
本発明は、光学レンズによるズーム機能および自動的に被写体に合焦させるオートフォーカス機能（自動焦点調節機能）を備えた光学装置、光学装置の制御方法に関する。
【背景技術】
【０００２】
一般的に光学装置におけるオートフォーカス機能は、撮像した映像のコントラストや位相を基に焦点を合わせる「パッシブ方式」と、光学装置から赤外線や音波を出して距離を測る「アクティブ方式」との２つの方式がある。
【０００３】
デジタルビデオカメラ等においては、小型軽量化、ローコスト化等の要求のために、専用のフォーカスセンサ（ラインセンサ等）を必要としない「パッシブ方式」の一種である「コントラスト検出方式」がよく用いられる。
【０００４】
デジタルビデオカメラ等で用いられている「コントラスト検出方式」では、被写体を写した撮像素子の出力信号を基にして画面の鮮鋭度を検出し、検出値が最大となるようにフォーカスレンズの位置を制御して、ピントを合わせる方法が一般的である。
【０００５】
即ち、光学レンズを通じて撮像素子で受けた映像を光電変換し、相関二重サンプリング（ＣＤＳ：Correlated Double Sampling）により各種ノイズ成分を除去する。そして、ＡＧＣ（Auto Gain Control ）、γ補正、ホワイトバランスを初めとする各種映像信号処理された映像信号中の高周波成分をバンドパスフィルタで抽出する。
【０００６】
画面内の任意の設定領域において抽出した高周波成分の（積分）量（＝評価値）はその映像領域におけるピントの合い具合を表すこととなり、ピントが最も合っている状態で極大値を示し、ピントが前後にずれると、評価値は低下する。従って、評価値が最大となるように、即ち、コントラストが最大になるようにフォーカスレンズの駆動を制御することによりオートフォーカスが実現できる。
【０００７】
ここで、フォーカスレンズの制御は、評価値が小さいときには早くピントが合うように評価値が大きくなる方向にレンズをなるべく速く動かし、評価値が大きくなるにつれてレンズをゆっくりと動かして、山の頂上で精度良くレンズを止めてピントを合わせる。一般にこのようなオートフォーカス制御方式を「山登り法オートフォーカス」と呼んでいる。
【０００８】
ところで、従来においては、この「山登り法オートフォーカス」に必要な評価値を抽出する領域（以下、焦点検出枠という）は、画面の中央部に設定されているものが多かった。これは、撮影者が撮影したい被写体を画面の中央部に持ってくることが想定されていたからである。  
【０００９】
しかし、焦点検出枠を画面中央に固定していると、撮影する被写体が焦点検出枠内から焦点検出枠外に平行に移動していくような場合に、オートフォーカスが動作してピンボケを生じてしまう。
【００１０】
そこで、焦点検出枠の大きさを可変とすると共に、ズーム動作による画角変化にも連動して焦点検出を行うための焦点検出枠の大きさ、形状を切り替える制御方式が提案されている。これによって、オートフォーカスの誤動作を改善し、適切な焦点検出枠を選択することができる（例えば、特許文献１参照）。
【００１１】
また、画面内に大小異なる焦点検出領域を設定可能にして、合焦後の焦点検出動作の再起動時において、夫々の焦点検出領域内における焦点状態を判定し、その判定結果に基づいて次の焦点検出領域を選択する制御方式が提案されている（例えば、特許文献２参照）。
【００１２】
更に、静止画撮影用のカメラでは、「中抜け」（中央の焦点検出枠内に被写体がなく、背景にピントが合ってしまう状態）防止のために、複数の焦点検出枠を持つ自動焦点機構を備えたものがある。
【００１３】
この静止画撮影用カメラにおいては、一般的には撮影画面内の主要被写体の統計的な存在確率を根拠に、複数の焦点検出ポイントのうち、最も近い焦点検出結果を選択してピント合わせを行うようにしている。しかし、このように最も近い焦点検出結果を選択してピント合わせを行うと、左右手前の物体にピントが合ってしまい、左右の物体より遠い被写体にピントが合わない状態となってしまう場合がある。
【００１４】
そこで、焦点検出枠を選択可能とし、中央部に焦点検出枠を持ってくるスポット焦点検出モードを備えたものが提案されている。例えば、シャッターボタンの半押し時間に応じて、複数焦点検出モードからスポット焦点検出モードに自動的に切り替える制御方式（例えば、特許文献３参照）がある。また、中央スポット焦点検出のタイムラグに対して改良を加えた制御方式が提案されている（例えば、特許文献４参照）。
【００１５】
一方、様々な被写体に対する合焦のために、オートフォーカスモードからマニュアルフォーカスモードに切り替えるマニュアルフォーカス切り替え手段を備えたものが提案されている（例えば、特許文献５参照）。
【００１６】
この提案では、オートフォーカスモードからマニュアルフォーカスモードに切り替えた際に、それまでズーム操作を行っていたズーム操作手段からのワイド側及びテレ側への制御信号を、ＭＦの遠近切り替えの制御信号として使用する。
【００１７】
ところで、一般的に、民生用のビデオカメラや小型デジタルカメラなどではコストダウンおよび小型化の要求から撮像素子のサイズやレンズ径も小さく、被写界深度がかなり深い傾向にあるが、望遠側ではさすがに被写界深度は浅くなってくる。因みに、被写界深度とは、被写体にピントを合わせたとき、被写体の前後の範囲においてピントが合っている幅のことであり、この幅が狭い場合は「被写界深度が浅い」、逆に広いと「被写界深度が深い」と表現する。
【００１８】
例えば、記念に残したい建物を背景に人物の記念撮影をする場合などは、被写界深度を深くして、人物と建物の両方にピントを合わせる。一方、背景より人物を目立たせたい場合は、被写界深度を浅くして、背景をぼかして撮影するなどの撮影テクニックがある。
【００１９】
被写界深度を決める基本的な要素は、「焦点距離」と「レンズの絞り」の２つであり、焦点距離の長い望遠側で絞りを開けて撮影すると、被写界深度は浅くなり、被写体の前後はぼける。逆に、焦点距離の短い広角側で絞りを絞って撮影すると、被写界深度は深くなり、被写体の前後にもピントが合う。
【特許文献１】特開平７−４６４５５号公報
【特許文献２】特開平６−３３９０６２号公報
【特許文献３】特開平３−２１０５４６号公報
【特許文献４】特開平５−１９１６０号公報
【特許文献５】特開平５−１９１７０２号公報
【発明の開示】
【発明が解決しようとする課題】
【００２０】
ところで、撮影者としては、海辺に生えた木々の間から遠くに浮かぶヨットに対して広角側からズーミングしていくような構図や、手前の花々の間から向こう側に見える人物に対して広角側からズーミングしていくような構図で撮影したい場合がある。この場合、オートフォーカスモードのままだと、望遠側の被写体を撮影したいためにズームしているにもかかわらず、画面内の手前側の被写体にピントが合ってしまい、望遠側の被写体にピントが合わせられないことがある。
【００２１】
従って、望遠側の被写体にピントを合わせたい場合には、マニュアルフォーカスモードを備える機種で、マニュアルフォーカス切り替えボタン等を押してオートフォーカスモードからマニュアルフォーカスモードに切り替えて撮影を行うことになる。
【００２２】
しかし、このような撮影方法では、撮影者は、撮影中にマニュアルフォーカス切り替えボタン等を押し、更にＭＦスリング等を操作することで被写体にピントを合わせて撮影を行う必要があり、煩雑な操作を強いられることになる。
【００２３】
そこで、本発明は、撮影者に煩雑な操作を強いることなく、容易に望遠側の被写体にピントを合わせられる光学装置、光学装置の制御方法を提供することを目的とする。
【課題を解決するための手段】
【００２４】
上記目的を達成するために、本発明の技術的特徴としては、ズーム機能およびオートフォーカス機能を備え、前記ズーム機能を操作するズーム操作手段の操作が予め定められたトリガー生成操作であるか否かを判断し、トリガー生成操作であると判断した場合にトリガーを生成するトリガー生成ステップと、該トリガー生成ステップで生成した前記トリガーに基づいて、オートフォーカスのための焦点検出枠の形態を望遠側の被写体にピントが合うように変化させる焦点検出枠調整ステップとを備えることを特徴とする。
【００２５】
また、他の技術的特徴としては、ズーム機能およびオートフォーカス機能を備え、前記ズーム機能を操作するズーム操作手段の操作が予め定められたトリガー生成操作であるか否かを判断し、トリガー生成操作であると判断した場合にトリガーを生成するトリガー生成ステップと、該トリガー生成ステップで生成した前記トリガーに基づいて、オートフォーカスモードからマニュアルフォーカスモードに切り替えるモード切替ステップとを備えることを特徴とする。
【発明の効果】
【００２６】
本発明によれば、撮影者に煩雑な操作を強いることなく、容易に望遠側の被写体にピントを合わせられる。
【発明を実施するための最良の形態】
【００２７】
以下、本発明の実施の形態の一例を図を参照して説明する。図１は本発明の第１の態様の実施の形態の一例であるデジタルビデオカメラの動作を説明するためのフローチャート図、図２は本発明の第１の態様の実施の形態の一例であるデジタルビデオカメラの外観を示す概略斜視図である。図３は本発明の第１の態様の実施の形態の一例であるデジタルビデオカメラの制御ブロック図である。また、図４は撮影映像（画像）をズーム比ごとに表示部に表示したイメージ図、図５は撮影映像（画像）と焦点検出枠・焦点検出エリアとをズーム比ごとに表示部に重ねて表示したイメージ図である。
【００２８】
まず、図２を参照して、本発明の第１の態様の実施の形態の一例であるデジタルビデオカメラ（光学装置）は、カメラ本体２０１に回動ヒンジ２０９を介して液晶表示パネル２０８が回動可能に支持されている。
【００２９】
カメラ本体２０１には、レンズ光学系２０６、ＥＶＦ（Electrical View Finder）２０２、視度調整スライダ２０３、スタート／ストップボタン２０４、ズームスイッチ２０５、マニュアルフォーカスリング２０７、シャッターボタン２１０等が設けられている。
【００３０】
レンズ光学系２０６は、被写体を撮像するためのズーム機能、フォーカス（ピント）調整機能付きレンズ群およびレンズ機構であり、被写体からの映像（画像）をカメラ本体２０１内部のＣＣＤ（Charge-Coupled Device ）３０２（図３参照）に結像させる。
【００３１】
ＥＶＦ（表示部）２０２は、液晶表示パネル（表示部）２０８を使用しないときに、液晶表示パネル２０８と同様の内容を表示する。視度調整スライダ２０３は、ＥＶＦ２０２を覗いたときに撮影者が見易いように接眼レンズを前後して、ＥＶＦ２０２の焦点距離を調整する。
【００３２】
スタート／ストップボタン２０４は外周部がモードダイヤルとなっており、外周部を回転させることで、ＯＦＦ、カメラ撮影モード、テープ再生モードなど、カメラの動作モードを切り替えることができる。また、通常の使用では、モードダイヤルを回転させてカメラモードにした後に、スタート／ストップボタンを一度押すと撮影開始、二度押すと撮影スタンバイ、三度押すと、再び撮影開始といったように、トグル動作する。
【００３３】
ズームスイッチ（ズーム操作手段）２０５は、前後に押すことで、画角を望遠側に調整したりワイド側に調整したりすることが可能なシーソースイッチとなっている。
【００３４】
マニュアルフォーカスリング２０７は、切り替えスイッチ（操作ボタン２１１に割り当て）によりマニュアルフォーカスモードに切り替えた際に、撮影者が円周方向に回すことでピント調整を行うものである。
【００３５】
シャッターボタン２１０は、撮影スタンバイ状態で押すと静止画をテープ上に数秒間、動画と同じ扱いで記録し、動画撮影中には外部記録媒体であるメモリカード３１３（図３参照）などにｊｐｅｇファイルとして記録するために用いるボタンである。
【００３６】
また、カメラ本体２０１の側面には、操作ボタン２１１およびＩＥＥＥ１３９４インタフェース２１２が配置されている。操作ボタン２１１は、逆行補正や、マニュアルフォーカスモード切り替え等の各種モード設定や、テープ再生モードのときの再生ボタン等に用いられる。ＩＥＥＥ１３９４Ｉ／Ｆコネクタ２１２は、デジタルビデオカメラ同士や、外部コンピュータなどの編集機器とケーブル接続し、映像情報や各種制御情報をやり取りすることができるデジタルインタフェースである。
【００３７】
液晶表示パネル２０８は、レンズ光学系２０６から入力される映像、テープへの映像記録／再生部３１８（図３参照）から再生される映像、および各種機能スイッチ２０４，２０５，２１０，２１１などによる制御に関する映像等を表示する。
【００３８】
回転ヒンジ２０９は、液晶表示パネル２０８とカメラ本体２０１との間に介装され、図２中のＸ軸およびＹ軸をそれぞれ回転軸として、液晶表示パネル２０８を２軸方向に回動可能にする。これにより、例えば、撮影者がカメラ本体２０１を高い位置に持ち上げて撮影する場合は液晶表示パネル２０８の表示画面を下方向に、低い位置に保持して撮影する場合は液晶表示パネル２０８表示画面を上向きにすることができる。なお、回動ヒンジ２０９により液晶表示パネル２０８を動かしても、カメラ本体２０１内部と液晶表示パネル２０８とを接続する電気信号配線は、絡んだり引っ張られたりすることのないようになっている。
【００３９】
次に、図３を参照して、ＣＣＤ３０２はレンズ光学系２０６から入ってくる像を撮像する撮像素子であり、カメラ信号処理部３０６からのタイミングに従って撮像素子駆動部３０３により駆動される。
【００４０】
ＣＤＳ（Correlated Double Sampling）、ＡＧＣ（Auto Gain Controller）部３０４は、ＣＣＤ３０２からのアナログ信号をサンプリングして不用なノイズを除去すると共に、システム制御部３０９からの制御により、信号レベルのゲインコントロールを行う。Ａ／Ｄ（Analog to Digital）変換器３０５は、アナログ信号をデジタル信号に変換する。
【００４１】
カメラ信号処理部３０６は、タイミング生成や、ＡＥ（Auto Exposure ）制御やγ調整、ＡＦ（Auto Focus）制御など、システム制御部３０９と連携して、カメラ撮像系の制御を担い、また、ＡＦ機能と合わせて被写体までの距離も算出する。
【００４２】
ここで、この実施の形態では、画面上のオートフォーカス用の焦点検出枠は画面格子状に９点あるものとし、全ての焦点検出枠を使用する場合や、中心部のみの焦点検出枠を使用するなどの選択が可能である（図５参照）。複数の焦点検出枠をまとめて「焦点検出エリア」という。
【００４３】
レンズ駆動部３０７は、レンズ光学系２０６を駆動して、ズーム倍率やフォーカス調整を行う。オートフォーカス時には、カメラ信号処理部３０６で検出されたフォーカス調整情報（評価値）に基づき、システム制御部３０９からの制御信号により、レンズ駆動部３０７が駆動される。これにより、レンズ光学系２０６のフォーカス調整用レンズを制御してピント調整が行われる。
【００４４】
マニュアルフォーカス時には、入力操作部３１４に属する、例えばレンズ外周に設けられたフォーカスリング２０７（図２参照）を撮影者が調整する。そして、電子的な機構ではフォーカスリング２０７の回転方向と回転量とをシステム制御部３０９が検出し、検出情報によってレンズ駆動部３０７を駆動し、レンズ光学系２０６のフォーカス調整用レンズを制御してピント調整が行われる。
【００４５】
機械的な機構では、フォーカスリング２０７が機械的にレンズ光学系２０６と繋がっており、フォーカスリング２０７を撮影者が回すことで機械的にレンズ光学系２０６が動かされてピント調整が行われる。
【００４６】
マイク３０８は、撮像系を経て入ってきた映像とともに周囲の音を集音して記録するためのものである。システム制御部３０９は、デジタルビデオカメラの各種制御手順の全般を実行する。メモリ制御部３１０は、システム制御部３０９や、カメラ信号処理部３０６からの汎用記憶部３１１に対するアクセスを制御する。
【００４７】
汎用記憶部３１１は、映像信号処理のバッファであると共に、本発明のトリガー生成手段、焦点検出枠調整手段等の処理を実行するためのプログラムおよびデータ等を格納し、制御実行のために必要に応じて作業領域としても使用するＲＯＭやＲＡＭを総称している。
【００４８】
外部記録媒体接続インタフェース３１２は、外部記憶媒体としての例えばメモリカード３１３のスロットとである。入力操作部３１４は、撮影スタート・ストップボタン２０４や、各種選択ボタンや決定ボタン（操作ボタン２１１）、シャッターボタン２１０、ＭＦリング２０７、ズームスイッチ２０５などを含む。
【００４９】
計時部３１５は、リアルタイムクロック（ＲＴＣ）とバックアップ電池を備え、日時をカウントして、システム制御部３０９からの要求に応じて日時情報を返信する。デジタルデータＩ／Ｆ部３１６は、ＵＳＢ（Universal Serial Bus）Ｉ／ＦやＩＥＥＥ１３９４Ｉ／Ｆである。ビデオ制御部３１７は、ＥＶＦ２０２、液晶表示パネル２０８、ライン入出力部３２１での入出力制御、およびテープ記録／再生部３１８の制御を行う。
【００５０】
テープ記録／再生部３１８は、ビデオ制御部３１７により、ＳＤモードではＤＶフォーマット、ＨＤモードではＨＤＶフォーマット等のテープ記録フォーマットにエンコードされた映像信号をテープに記録またはテープから再生する。
【００５１】
ライン入出力部３２１は、アナログコンポーネント映像の入出力や、Ｓ端子入出力、コンポジット映像入出力などのインタフェースである。ライン入出力部３２１は、出力の場合には外部ＴＶモニタ等に接続して、デジタルビデオカメラからの映像出力を画面に表示し、入力の場合には外部映像機器からの入力を受ける。
【００５２】
ここで、図４に、広角端４−１から望遠端４−４までのズーム操作に伴うＥＶＦ２０２又は液晶表示パネル２０８での撮影映像の表示例を示す。
【００５３】
望遠端４−４では、ピントは手前側の被写体、ここでは手前の「木の葉」に合っていて、望遠側の被写体、ここでは「パンダ」はボケた状態となっている。撮影者の意図としては、遠くからズーミングしていき、木の向こう側にいるパンダを撮影したいのであるが、望遠端まできたために、それ以上の光学ズームは望めない。また、デジタルズームとしてもデジタル的に拡大しただけでは、元々ピントが合っていない被写体であるパンダにはピントが合わない。即ち、ピントは手前側の木の葉に合っており、光学ズームによるズーミングにより被写界深度が浅くなってきているので、木の葉の更に向こう側にいる望遠側の被写体であるパンダはボケてしまう。
【００５４】
そこで、この実施の形態では、まず、トリガー生成手段が、ズームスイッチ２０５の操作が予め定められたトリガー生成操作であるか否かを判断し、トリガー生成操作であると判断した場合にトリガーを生成する。
【００５５】
そして、焦点検出枠調整手段が、該トリガーに基づいて、オートフォーカスのための焦点検出枠を望遠側の被写体にピントが合うように変化させる。具体的には、図５を参照して、撮影映像内で手前側に位置する被写体（木の葉）に対して、焦点検出枠が（望遠側の被写体（パンダ）にピントを合わせるのに障害とならない程度に）重ならないように、焦点検出枠の形態を変化させる。
【００５６】
以下、詳述する。
【００５７】
ズームスイッチ２０５によるトリガー生成操作は、この実施の形態では、次の１−１〜１−３のいずれか一つとするが、これらに限定されるものではない。
１−１：ズーム機能が望遠端に達したらトリガー生成操作と判断して、即時トリガーを生成する。
１−２：ズームスイッチ２０５の操作により、ズーム機能が望遠端側に所定の時間維持されたときに、トリガー生成操作と判断してトリガーを生成する。
１−３：ズーム機能が望遠端および広角端のいずれにも位置しない中立状態になった後、ズームスイッチ２０５が望遠端の方向に操作されたときに、トリガー生成操作と判断してトリガーを生成する。
【００５８】
また、オートフォーカスのための焦点検出枠を望遠側の被写体にピントが合うように変化させる形態は、この実施の形態では、次の２−１〜２−３のいずれか一つとするが、これらに限定されるものではない。
２−１：単一の焦点検出枠の大きさを変化させる。
２−２：焦点検出枠の数を変化させる。
２−３：複数の焦点検出枠を含む焦点検出エリアを変化させる。
【００５９】
そして、生成されたトリガーを基に、自動又は手動で、オートフォーカスのため焦点検出枠の形態を望遠側の被写体にピントが合うように変化させる処理が行われる。
【００６０】
また、手動による場合は、トリガーを生成した後、ズームスイッチ２０５を操作することにより、オートフォーカスのため焦点検出枠の形態を望遠側の被写体にピントが合うように変化させる処理が行われる。このとき、ズームスイッチ２０５においては、トリガーを生成した後、操作切替手段によって、ズーム機能の操作スイッチから焦点検出枠の形態を変化させるための操作スイッチに切り替えられる制御がなされている。
【００６１】
また、ズームスイッチ２０５は、焦点検出枠の形態を変化させる操作を行った後、焦点検出枠の形態が予め設定した形態になったとき、又は予め指定したボタン操作があったときに、復帰手段によって元のズーム機能の操作スイッチに復帰するように制御される。
【００６２】
更に、ＥＶＦ２０２および液晶表示パネル２０８には、ビデオ制御部（表示制御手段）３１７によって撮像画面内に位置する焦点検出枠が該撮像画面に重ねて表示される。
【００６３】
従って、撮影者は焦点検出枠を視覚的に確認しながら目的の被写体にピントを合わせることができ、撮影者の撮影意図に合わせて、簡便、且つシームレスな操作環境を実現することができる。
【００６４】
次に、図１を参照して、本発明の第１の態様の実施の形態の一例であるデジタルビデオカメラの動作を説明する。ここで、図１において、ステップＳ１０４は本発明のトリガー生成手段に対応し、ステップＳ１０５は本発明の表示制御手段に対応し、ステップＳ１０６は本発明の操作切替手段に対応する。また、ステップＳ１０７、ステップＳ１１４、ステップＳ１１１、ステップＳ１１２は本発明の復帰手段に対応し、ステップＳ１０８およびステップＳ１０９は本発明の焦点検出枠調整手段に対応する。これらの手段の各処理は、汎用記憶部３１１のＲＯＭ等に格納された処理プログラムがＲＡＭにロードされ、システム制御部３０９のＣＰＵ等により実行される。
【００６５】
まず、ステップＳ１０１でデジタルビデオカメラの電源が投入されると、ステップＳ１０２に移行して、通常撮影モードとなる。なお、通常撮影モードとは、撮影スタート／ストップボタン２０４の制御により、ＲＥＣ（記録）ポーズ状態かＲＥＣ中であることを意味する。
【００６６】
ステップＳ１０３では、撮影終了か否かを判断する。
【００６７】
具体的には、上述したように、スタート／ストップボタン２０４の外周部のモードダイヤルを回転操作することによって、ＯＦＦ、カメラ撮影モード、テープ再生モードなど、カメラの動作モードが切り替えられる。そして、このモードダイヤルでカメラ撮影モード以外が選ばれると、撮影終了と判断して、処理を終了する。一方、モードダイヤルでカメラ撮影モードが選ばれた場合には、撮影は終了していないと判断して、ステップＳ１０４に移行する。
【００６８】
ステップＳ１０４では、トリガー生成手段によって、ズームスイッチ２０５の操作がトリガー生成操作であるか否かを判断する。
【００６９】
具体的には、ズームスイッチ２０５の操作が上述した１−１〜１−３のいずれかである場合に、トリガー生成操作であると判断してトリガーを生成し、ステップＳ１０５に移行する。一方、ズームスイッチ２０５の操作が上述した１−１〜１−３のいずれにも当てはまらない場合は、ステップＳ１０２に戻って通常撮影モードでの動作となる。
【００７０】
ここで、１−１の場合は、ズーム機能が望遠端に達したことをレンズ駆動部３０７およびシステム制御部３０９が連携して検出し、トリガーを生成する。
【００７１】
１−２の場合は、予め設定した時間（操作者の設定を可能にするかは別として）、ズームレンズが望遠端に位置した後、ズームスイッチ２０５がそのまま望遠側操作として押され続けている時間を計時部３１６により計時し、時間経過をもってトリガーを生成する。
【００７２】
１−３の場合は、ズームレンズが望遠端に位置してから、撮影者がズームスイッチ２０５を望遠側にも広角側にも操作しない中立状態に戻した後（通常指を離した状態）、再度、望遠側に操作したことをシステム制御部３０９が検出し、トリガーを生成する。
【００７３】
次に、ステップＳ１０５では、撮影者が、撮影映像に対する焦点検出エリアの状態（位置）を把握できるように、ＯＳＤ（On Screen Display ）機能を利用して撮影映像に焦点検出エリアを重ねて表示し、ステップＳ１０６に移行する。
【００７４】
図５に、ＥＶＦ２０２又は液晶表示パネル２０８に撮影映像に重ねて焦点検出枠・焦点検出エリアを表示したイメージを示す。
【００７５】
５−１は、広角端での９個の焦点検出枠を囲んだものを焦点検出エリアと定義して、矩形領域でＯＳＤ表示したイメージである。なお、焦点検出枠・焦点検出エリアの「大きさ」、「形」、「数」などは図５に示すものに限定されず、種々の設定が可能である。
【００７６】
５−２は、望遠端での撮影映像に対して、焦点検出枠・焦点検出エリアを重ねてＯＳＤ表示したイメージであり、このイメージでは、望遠側の「パンダ」ではなく、焦点検出枠の重なる数が多い手前の「木の葉」にピントが合ってしまっている状態である。
【００７７】
次に、ステップＳ１０６では、ズーム機能の操作に使用していたズームスイッチ２０５を、オートフォーカスのための焦点検出枠の形態を望遠側の被写体にピントが合うように変化させるためのスイッチに機能変更し、ステップＳ１０７に移行する。
【００７８】
ステップＳ１０７では、予め指定した任意のボタン操作、例えば、ズームスイッチ２０５のダブルクリック的な操作や、別途、決められた操作ボタン２１１の操作がされたか否かを判断する。
【００７９】
そして、ボタン操作された場合は、ステップＳ１１４に移行し、ステップＳ１１４でズームスイッチ２０５の機能を元のズーム機能を操作するスイッチに機能変更した後、ステップＳ１０２に戻って通常撮影モードの動作となる。一方、ボタン操作されない場合はステップＳ１０８に移行する。
【００８０】
ステップＳ１０８では、ステップＳ１０６で機能が変更されたズームスイッチ２０５の操作を検出し、操作された場合は、ステップＳ１０９に移行し、操作されていない場合には、ステップＳ１１０に移行する。
【００８１】
ステップＳ１０９では、ズームスイッチ２０５の操作に連動して、オートフォーカスのための焦点検出枠を上述した２−１〜２−３のいずれかの形態に変更して、望遠側の被写体である「パンダ」（図５参照）にピントが合うようにする。
【００８２】
ここで、２−１の場合は、図５では図示を省略するが、ズームスイッチ２０５の操作に連動させて、単一の焦点検出枠を画面中心に向けて縮小していくことで、ピントを合わせたい被写体、ここでは、望遠側の「パンダ」にオートフォーカス機能が働くようにする。
【００８３】
２−２の場合には、図５の５−３に示すように、複数（ここでは９個）の焦点検出枠のうち、中心の１つの焦点検出枠のみを使用する。即ち、複数の焦点検出枠が焦点検出エリア内に存在する場合に、ズームスイッチ２０５の操作に連動させて、焦点検出枠の数を減らしていくことで、ピントを合わせたい被写体、ここでは中心付近に位置する望遠側のパンダにオートフォーカス機能が働くようにする。
【００８４】
２−３の場合には、２−２の場合と異なり、焦点検出枠の数を変化させるのではなく、図５の５−４に示すように、焦点検出枠の撮影画面内での位置及び大きさを共に変化させる。なお、焦点検出枠の大きさを変化させずに、焦点検出枠間の間隔を狭くすることも考えられるが、ここでは、焦点検出枠を含む焦点検出エリアを中心付近に集中させて小さくしている。これにより、ピントを合わせたい被写体、ここでは中心付近に位置する望遠側のパンダにオートフォーカス機能が働くようにする。
【００８５】
次に、ステップＳ１１０では、オートフォーカスのための焦点検出枠の数、又は焦点検出枠の大きさ若しくは複数の焦点検出枠を含む焦点検出エリアの大きさに合わせてオートフォーカス制御を行い、ステップＳ１１１に移行する。
【００８６】
ステップＳ１１１では、オートフォーカスのための焦点検出枠の数、又は焦点検出枠の大きさ若しくは複数の焦点検出枠を含む焦点検出エリアの大きさが予め設定した任意の数、又は大きさになったか否かを判断する。
【００８７】
例えば、ステップＳ１０８およびステップＳ１０９の制御により、通常撮影モードでのオートフォーカス用の焦点検出枠・焦点検出エリアの状態に戻ったことを検出した場合は、ステップＳ１１２に移行し、検出しない場合は、ステップＳ１１３に移行する。
【００８８】
ステップＳ１１２では、ズームスイッチ２０５を元のズーム機能を操作するスイッチに機能変更し、その後、ステップＳ１０２に戻って通常撮影モードの動作となる。
【００８９】
ステップＳ１１３では、ステップＳ１０３と同様に、撮影終了か否かを判断する。
【００９０】
具体的には、ステップＳ１０３と同様に、スタート／ストップボタン２０４の外周部のモードダイヤルを回転操作することによって、カメラ撮影モード以外が選ばれると、撮影終了と判断して、処理を終了する。一方、モードダイヤルでカメラ撮影モードが選ばれた場合には、撮影は終了していないと判断して、ステップＳ１０８に戻り、上述した処理を繰り返す。
【００９１】
以上説明したように、この実施の形態では、ズームスイッチ２０５の操作が予め定められたトリガー生成操作である場合に、生成したトリガーに基づいて、望遠側の被写体にピントが合うように焦点検出枠の大きさや数、又は焦点検出エリアの大きさ変化させている。これにより、撮影者に煩雑な操作を強いることなく、容易に望遠側の被写体にピントを合わせた撮影を行うことができる。つまり、ズーム操作手段の操作が予め定められたトリガー生成操作である場合に、生成したトリガーに基づいて、オートフォーカスのための焦点検出枠の形態を望遠側の被写体にピントが合うように変化させる。又はズーム操作手段の操作が予め定められたトリガー生成操作である場合に、生成したトリガーに基づいて、オートフォーカスモードからマニュアルフォーカスモードに切り替える。これにより、撮影者に煩雑な操作を強いることなく、容易に望遠側の被写体にピントを合わせた撮影を行うことができる。
【００９２】
次に、図６および図７を参照して、本発明の第２の態様の実施の形態の一例であるデジタルビデオカメラを説明する。図６は本発明の第２の態様の実施の形態の一例であるデジタルビデオカメラの動作を説明するためのフローチャート図、図７は撮影映像と焦点検出枠・焦点検出エリアとを表示部に重ねて表示したイメージ図である。なお、上記第１の態様の実施の形態と重複する部分（図２および図３）については、説明を省略する。
【００９３】
まず、図７は、ＯＳＤ機能を利用して、ズーム機能が望遠端に達したときの撮影映像に焦点検出枠・焦点検出エリアを重ねてＥＶＦ２０２又は液晶表示パネル２０８に表示したイメージ図である。
【００９４】
図７では、ピントは手前側の被写体、ここでは手前側の「ハスの花」に合っていて、望遠側の被写体、ここでは「蛙」がボケた状態となっている。撮影者の意図としては、遠くからズーミングしていき、ハスの花の向こう側にいる蛙を撮影したいのであるが、ズーム機能が望遠端まで達したために、それ以上の光学ズームは望めない。
【００９５】
また、デジタルズームを利用しても、望遠側の被写体をデジタル的に拡大しただけでは、元々ピントが合っていない被写体である蛙にはピントが合わない。即ち、ピントは手前側のハスの花に合っており、光学ズームによるズーミングにより被写界深度が浅くなってきているので、ハスの花の更に向こう側にいる蛙はボケてしまう。
【００９６】
ここで、上記第１の態様の実施の形態と同様に、焦点検出枠・焦点検出エリアを変更することを考えた場合、図７の７−２にように、焦点検出枠の数を減らして中心部分の焦点検出枠を残しても、蛙にはピントが合わない。
【００９７】
また、７−３のように、焦点検出エリアを中心部分に集中させて小さくしても、やはり蛙にはピントが合わない。この場合、構図をこのままに、蛙にピントを合わせるには、やはり、マニュアルフォーカスモードを利用することが一つの方法である。
【００９８】
しかし、従来のように、マニュアルフォーカスボタンを別途押して、マニュアルフォーカスモードに切替え、更に、マニュアルフォーカスリングを操作してピントを合わせるような煩雑な操作は行いたくない。
【００９９】
そこで、本発明の第２の態様の実施の形態の一例であるデジタルビデオカメラでは、まず、トリガー生成手段が、ズームスイッチ２０５の操作が予め定められたトリガー生成操作であるか否かを判断し、トリガー生成操作であると判断した場合にトリガーを生成する。そして、モード切替手段が、該トリガーに基づいて、オートフォーカスモードからマニュアルフォーカスモードへの切り替え制御を実行する。
【０１００】
以下、詳述する。
【０１０１】
ズームスイッチ２０５によるトリガー生成操作は、この実施の形態では、上記第１の態様の実施の形態と同様に、次の１−１〜１−３のいずれか一つとするが、これらに限定されるものではない。
１−１：ズーム機能が望遠端に達したらトリガー生成操作と判断して、即時トリガーを生成する。
１−２：ズームスイッチ２０５の操作により、ズーム機能が望遠端側に所定の時間維持されたときに、トリガー生成操作と判断してトリガーを生成する。
１−３：ズーム機能が望遠端および広角端のいずれにも位置しない中立状態になった後、ズームスイッチ２０５が望遠端の方向に操作されたときに、トリガー生成操作と判断してトリガーを生成する。
【０１０２】
そして、生成されたトリガーを基に、自動又は手動で、オートフォーカスモードからマニュアルフォーカスモードに切り替える処理が行われる。
【０１０３】
また、手動による場合は、トリガーを生成した後、ズームスイッチ２０５を操作することにより、オートフォーカスモードからマニュアルフォーカスモードに切り替える処理が行われる。このとき、ズームスイッチ２０５においては、トリガーを生成した後、操作切替手段によって、ズーム機能の操作スイッチからフォーカスモード切替用の操作スイッチに切り替えられる制御がなされている。
【０１０４】
また、ズームスイッチ２０５は、モード切替操作を行った後、望遠側の被写体より手前の被写体にピントがあったとき、又は予め指定したボタン操作があったときに、復帰手段によって元のズーム機能の操作スイッチに復帰するように制御される。
【０１０５】
次に、図６を参照して、本発明の第２の態様の実施の形態の一例であるデジタルビデオカメラの動作を説明する。ここで、図６において、ステップＳ６０４は本発明のトリガー生成手段に対応し、ステップＳ６０５は本発明の操作切替手段に対応する。また、ステップＳ６０６、ステップＳ６１２、ステップＳ６０９、ステップＳ６１０は本発明の復帰手段に対応し、ステップＳ６０７およびステップＳ６０８は本発明のモード切替手段に対応する。これらの手段の各処理は、汎用記憶部３１１のＲＯＭ等に格納された処理プログラムがＲＡＭにロードされ、システム制御部３０９のＣＰＵ等により実行される。
【０１０６】
まず、ステップＳ６０１でデジタルビデオカメラの電源が投入されると、ステップＳ６０２に移行して、通常撮影モードとなる。なお、通常撮影モードとは、撮影スタート／ストップボタン２０４の制御により、ＲＥＣ（記録）ポーズ状態かＲＥＣ中であることを意味する。
【０１０７】
ステップＳ６０３では、撮影終了か否かを判断する。
【０１０８】
具体的には、上述したように、スタート／ストップボタン２０４の外周部のモードダイヤルを回転操作することによって、ＯＦＦ、カメラ撮影モード、テープ再生モードなど、カメラの動作モードが切り替えられる。そして、このモードダイヤルでカメラ撮影モード以外が選ばれると、撮影終了と判断して、処理を終了する。一方、モードダイヤルでカメラ撮影モードが選ばれた場合には、撮影は終了していないと判断して、ステップＳ６０４に移行する。
【０１０９】
ステップＳ６０４では、トリガー生成手段によって、ズームスイッチ２０５の操作がトリガー生成操作であるか否かを判断する。
【０１１０】
具体的には、ズームスイッチ２０５の操作が上述した１−１〜１−３のいずれかである場合に、トリガー生成操作であると判断してトリガーを生成し、ステップＳ６０５に移行する。一方、ズームスイッチ２０５の操作が上述した１−１〜１−３のいずれにも当てはまらない場合は、ステップＳ６０２に戻って通常撮影モードでの動作となる。
【０１１１】
ここで、１−１の場合は、ズーム機能が望遠端に達したことをレンズ駆動部３０７およびシステム制御部３０９が連携して検出し、トリガーを生成する。
【０１１２】
１−２の場合は、予め設定した時間（操作者の設定を可能にするかは別として）、ズームレンズが望遠端に位置した後、ズームスイッチ２０５がそのまま望遠側操作として押され続けている時間を計時部３１６により計時し、時間経過をもってトリガーを生成する。
【０１１３】
１−３の場合は、ズームレンズが望遠端に位置してから、撮影者がズームスイッチ２０５を望遠側にも広角側にも操作しない中立状態に戻した後（通常指を離した状態）、再度、望遠側に操作したことをシステム制御部３０９が検出し、トリガーを生成する。
【０１１４】
次に、ステップＳ６０５では、ズーム機能の操作に使用していたズームスイッチ２０５を、オートフォーカスモードからマニュアルフォーカスモードに切り替えるためのスイッチに機能変更し、ステップＳ６０６に移行する。
【０１１５】
ステップＳ６０６では、予め指定した任意のボタン操作、例えば、ズームスイッチ２０５のダブルクリック的な操作や、別途、決められた操作ボタン２１１の操作がされたか否かを判断する。
【０１１６】
そして、ステップＳ６０６で、ボタン操作された場合は、ステップＳ６１２に移行し、ステップＳ６１２でズームスイッチ２０５を元のズーム機能を操作するスイッチに機能変更した後、ステップＳ６０２に戻って通常撮影モードの動作となる。なお、ステップＳ６１２の段階では、フォーカスモードは切り替えられておらず、従って、オートフォーカスモードが維持されている。一方、ステップＳ６０６で、ボタン操作されない場合は、ステップＳ６０７に移行する。
【０１１７】
ステップＳ６０７では、ステップＳ６０５で機能が変更されたズームスイッチ２０５の操作を検出し、操作された場合は、ステップＳ６０８に移行し、操作されていない場合には、ステップＳ６０９に移行する。
【０１１８】
ステップＳ６０８では、ズームスイッチ２０５の操作に連動して、レンズ光学系３０１、レンズ駆動部３０７、およびシステム制御部３０９が連携したマニュアルフォーカス制御が行われる。これにより、撮影者が、ピントを合わせたい望遠側の被写体、ここでは蛙に撮影映像を見ながらフォーカスを合わせていく。
【０１１９】
ステップＳ６０９では、手前側の被写体「ハスの花」に合焦したか否かを判断し、合焦したと判断した場合は、ステップＳ６１０に移行し、合焦していないと判断した場合は、ステップＳ６１１に移行する。
【０１２０】
ステップＳ６１０では、ズームスイッチ２０５を元のズーム機能を操作するスイッチに機能変更すると共に、マニュアルフォーカスモードをオートフォーカスモードに戻し、その後、ステップＳ６０２に戻って通常撮影モードの動作となる。
【０１２１】
ステップＳ６１１では、ステップＳ６０３と同様に、撮影終了か否かを判断する。
【０１２２】
具体的には、ステップＳ６０３と同様に、スタート／ストップボタン２０４の外周部のモードダイヤルを回転操作することによって、カメラ撮影モード以外が選ばれると、撮影終了と判断して、処理を終了する。一方、モードダイヤルでカメラ撮影モードが選ばれた場合には、撮影は終了していないと判断して、ステップＳ６０７に戻り、上述した処理を繰り返す。
【０１２３】
以上説明したように、この実施の形態では、ズームスイッチ２０５の操作が予め定められたトリガー生成操作である場合に、生成したトリガーに基づいて、オートフォーカスモードからマニュアルフォーカスモードに切り替える制御を行っている。これにより、撮影者に煩雑な操作を強いることなく、容易に望遠側の被写体にピントを合わせた撮影を行うことができる。
【０１２４】
なお、本発明は上記実施の形態に例示したものに限定されるものではなく、本発明の要旨を逸脱しない範囲において適宜変更可能である。
【０１２５】
例えば、上記実施の形態では、光学装置としてデジタルビデオカメラを例示したが、これに限定されず、ズーム機能とオート／マニュアルフォーカス機能とを有する光学装置であれば、デジタルビデオカメラ以外の光学装置に本発明を適用してもよい。
【０１２６】
また、上記実施の形態では、ズームスイッチ２０５によってズーム機能が望遠端側に操作された場合にトリガーを生成するようにしているが、これに代えて、ズーム機能が広角端側に操作された場合にトリガーを生成するようにしてもよい。
【０１２７】
次に、上記実施の形態の機能を実現するソフトウェアのプログラムコードを記憶した記憶媒体を、システム或いは装置に供給する場合を考える。ここで、本発明の目的は、そのシステム或いは装置のコンピュータ（またはＣＰＵやＭＰＵ等）が記憶媒体に格納されたプログラムコードを読み出し実行することによっても達成される。
【０１２８】
この場合、記憶媒体から読み出されたプログラムコード自体が上記実施の形態の機能を実現することになり、そのプログラムコード及び該プログラムコードを記憶した記憶媒体は本発明を構成することになる。
【０１２９】
また、プログラムコードを供給するための記憶媒体としては、例えば、フレキシブルディスク、ハードディスク、光磁気ディスク等を用いることができる。あるいは、ＣＤ−ＲＯＭ、ＣＤ−Ｒ、ＣＤ−ＲＷ、ＤＶＤ−ＲＯＭ、ＤＶＤ−ＲＡＭ、ＤＶＤ−ＲＷ、ＤＶＤ＋ＲＷ等の光ディスク、磁気テープ、不揮発性のメモリカード、ＲＯＭ等を用いることができる。または、プログラムコードをネットワークを介してダウンロードしてもよい。
【０１３０】
また、コンピュータが読み出したプログラムコードを実行することにより、上記実施の形態の機能が実現される場合だけではない。そのプログラムコードの指示に基づき、コンピュータ上で稼動しているＯＳ（オペレーティングシステム）等が実際の処理の一部または全部を行い、その処理によって上記実施の形態の機能が実現される場合も含まれる。
【０１３１】
さらに、記憶媒体から読み出されたプログラムコードが、コンピュータに挿入された機能拠張ボードやコンピュータに接続された機能拡張ユニットに備わるメモリに書き込まれた場合を考える。この場合に、そのプログラムコードの指示に基づき、その拡張機能を拡張ボードや拡張ユニットに備わるＣＰＵ等が実際の処理の一部または全部を行い、その処理によって上記実施の形態の機能が実現される場合も本発明に含まれる。
【図面の簡単な説明】
【０１３２】
【図１】本発明の第１の態様の実施の形態の一例であるデジタルビデオカメラの動作を説明するためのフローチャート図である。
【図２】本発明の第１の態様の実施の形態の一例であるデジタルビデオカメラの外観を示す概略斜視図である。
【図３】本発明の第１の態様の実施の形態の一例であるデジタルビデオカメラの制御ブロック図である。
【図４】撮影映像をズーム比ごとに表示部に表示したイメージ図である。
【図５】撮影映像と焦点検出枠・焦点検出エリアとをズーム比ごとに表示部に重ねて表示したイメージ図である。
【図６】本発明の第２の態様の実施の形態の一例であるデジタルビデオカメラの動作を説明するためのフローチャート図である。
【図７】撮影映像と焦点検出枠・焦点検出エリアとを表示部に重ねて表示したイメージ図である。
【符号の説明】
【０１３３】
２０１  カメラ本体
２０２  ＥＶＦ（表示部）
２０３  視度調整スライダ
２０４  スタート／ストップボタン
２０５  ズームスイッチ（ズーム操作手段）
２０６  レンズ光学系
２０７  マニュアルフォーカスリング
２０８  液晶表示パネル（表示部）
２０９  回転ヒンジ
２１０  シャッターボタン
２１１  操作ボタン
２１２  ＩＥＥＥ１３９４Ｉ／Ｆコネクタ
３０２  ＣＣＤ
３０３  撮像素子駆動部
３０４  ＣＤＳ、ＡＧＣ部
３０５  Ａ／Ｄ変換器
３０６  カメラ信号処理部
３０７  レンズ駆動部
３０８  マイク
３０９  システム制御部
３１０  メモリ制御部
３１１  汎用記憶部
３１２  外部記録媒体接続インタフェース
３１３  外部記憶媒体
３１４  入力操作部
３１５  計時部
３１６  デジタルデータＩ／Ｆ部
３１７  ビデオ制御部
３１８  テープ記録／再生部
３２１  ライン入出力部
【図１】
2008064980.tif 000003
【図２】
2008064980.tif 000004
【図３】
2008064980.tif 000005
【図６】
2008064980.tif 000006
【図４】
2008064980.tif 000007
【図５】
2008064980.tif 000008
【図７】
2008064980.tif 000009